【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
ａ）ハウジングと、
ｂ）該ハウジングと有効に接続している遠位障壁プレートと、
ｃ）複数の入れ子式ピペットチップユニットであって、各ユニットが該遠位障壁プレートのチャネルに位置合わせされているピペットチップユニットと
を含み、該遠位障壁プレートが、
各チャネルがピペットチップの最も広い部分よりも大きな直径を有している複数のチャネルと、
実質的に平らな上面と、
該チャネルのいくつかまたはすべての周りに複数のテール部を含む実質的に平らな底面と
を含み、（ｉ）該テール部が、該平らな底面からほぼ垂直な向きに延び、（ｉｉ）各チャネルの周りの該テール部は、ピペットチップが分配され該テール部を通過するときに、ピペットチップの近位部分に接触しかつ該近位部分から外向きに反っており、それによって、該ピペットチップが分配されるときに該ピペットチップに摩擦力が与えられる、ピペットチップ分配デバイス。
【請求項２】
前記ハウジングが、さらに、
ａ）上部、４つの側面、内面、および該ハウジングの少なくとも１つの側面に配置された、複数の規則的に間隔を空けて配置された戻り止め部材を含む、アクチュエータハウジングと、
ｂ）スライド構成で該アクチュエータハウジングの内面に接触する外面と、
該アクチュエータハウジングの該戻り止め部材に解放可能に係合するよう構成され、かつ該アクチュエータハウジングの戻り止め部材の規則的な間隔と実質的に同じである規則的な間隔を有する、複数の規則的に間隔を空けて配置された戻り止め部材と、
装填ブロックの外側面に係合するよう構成された内面を有する近位開口と
を含むアライメントハウジングと
を含む、請求項１に記載のピペットチップ分配デバイス。
【請求項３】
前記ハウジングがポリマー材料を含む、請求項１に記載のピペットチップ分配デバイス。
【請求項４】
前記アクチュエータハウジングが、複数のハウジング要素を有する伸縮構成を含む、請求項２に記載のピペットチップ分配デバイス。
【請求項５】
前記アクチュエータハウジングが、前記ピペットチップの近位部分との接触を維持しかつ該ピペットチップの側方変位を制限する部材をアクチュエータの上部に含む、請求項２に記載のピペットチップ分配デバイス。
【請求項６】
前記部材が、発泡体、隆起した格子、および複数の近位アライメント部材からなる群から選択される、請求項５に記載のピペットチップ分配デバイス。
【請求項７】
ピペットチップ分配器の一部にすることができ、かつピペットチップに関連付けられていない、遠位障壁プレートであって、
各チャネルがピペットチップの最も広い部分よりも大きな直径を有している複数のチャネルと、
実質的に平らな上面と、
該チャネルのいくつかまたはすべての周りの複数のテール部を含む、実質的に平らな底面と
を含み、（ｉ）該テール部が、該平らな底面からほぼ垂直な向きに延び、（ｉｉ）各チャネルの周りの該テール部は、ピペットチップが分配され該テール部を通過するときに、ピペットチップの近位部分に接触しかつ該近位部分から外向きに反っており、それによって、該ピペットチップが分配されるときに該ピペットチップに摩擦力が与えられる、遠位障壁プレート。
【請求項８】
各チャネルが、２、３、４、５、６、７、８、９、１０、またはそれ以上のテール部を含む、請求項７に記載の遠位障壁プレート。
【請求項９】
前記遠位障壁プレートのチャネルのサブセットが、アレイ状のピペットチップをある時に排出するテール部によって取り囲まれており、該プレートのチャネルの別のサブセットが、同じアレイのピペットチップを別の時に排出するテール部によって取り囲まれている、請求項７に記載の遠位障壁プレート。
【請求項１０】
前記遠位障壁プレートが、チャネルの異なるサブセットを２、３、４、５、６、７、８、９、１０、１１、１２、１３、１４、１５、１６、１７、１８、１９、または２０個含み、
各サブセットが、１つのアレイのピペットチップを異なる時間で排出する、請求項９に記載の遠位障壁プレート。
【請求項１１】
前記障壁プレートの各チャネルが、異なる長さのテール部を含む、請求項７に記載の遠位障壁プレート。
【請求項１２】
前記障壁プレートの中心に位置付けられたチャネルが、最も短いテール部を含む、請求項１１に記載の遠位障壁プレート。
【請求項１３】
中心の長手方向の軸の周りに同心円状に配置された後続のチャネルが、その長さが漸進的に順次長くなるテール部を含む、請求項１２に記載の遠位障壁プレート。
【請求項１４】
Ｘ軸に沿って前記障壁プレートの中心に位置付けられたチャネルが、同じ長さのテール部を含み、Ｙ軸に沿ったチャネルが、様々な長さのテール部を含む、請求項７に記載の遠位障壁プレート。
【請求項１５】
前記テール部が、前記遠位障壁プレートの前記底面から、約８９°から約８０°の内角にある、請求項７に記載の遠位障壁プレート。
【請求項１６】
前記テール部が、前記遠位障壁プレートの前記底面から、８８〜８５°、８７〜８４°、８６〜８３°、または８６〜８５°の間の内角にある、請求項１５に記載の遠位障壁プレート。
【請求項１７】
前記テール部が、０．０１μｍ〜２．０ｍｍの間の長さである、請求項７に記載の遠位障壁プレート。
【請求項１８】
チャネルの周りの前記テール部が、前記チャネル内にない、請求項７に記載の遠位障壁プレート。
【請求項１９】
規則的に間隔を空けて配置されたピペットチップのアレイを含む分配デバイスを提供することと、
ピペットチップの遠位端が、装填ブロックのレセプタクルの上方または内部に配置されるように、該分配デバイスを該装填ブロックに係合することであって、障壁プレートは、
各チャネルがピペットチップの最も広い部分よりも大きな直径を有している複数のチャネルと、
実質的に平らな上面と、
該チャネルのいくつかまたはすべての周りに複数のテール部を含む、実質的に平らな底面であって、該テール部が、該平らな底面からほぼ垂直な向きに延びている底面と
を含む、ことと、
該ピペットチップのアレイに軸力が加わるように、該分配デバイスのアクチュエータを作動させることであって、該軸力は該ピペットチップのアレイを、該チャネルを通って該テール部を通過して分配し、それにより、該ピペットチップは該テール部に接触しかつ該テール部を外向きに反らせ、該テール部は該ピペットチップに摩擦力を与え、それによって、該ピペットチップのアレイを該装填ブロックのそれぞれのレセプタクルに排出する、ことと
を含む、ピペットチップのアレイを装填ブロックに同時に分配するための方法。
【請求項２０】
前記アクチュエータハウジングが、複数のハウジング要素を有する伸縮構成を含み、前記アクチュエータの作動が、該複数のハウジング要素を拡張された状態から収縮させられた入れ子式状態へと収縮することを含む、請求項１９に記載の方法。
【手続補正２】
【補正対象書類名】明細書
【補正対象項目名】００２６
【補正方法】変更
【補正の内容】
【００２６】
ある実施形態を、以下の詳細な説明、特許請求の範囲、および図面に記述する。
例えば、本発明は以下の項目を提供する。
（項目１）
ａ）ハウジングと、
ｂ）該ハウジングと有効に接続している遠位障壁プレートと、
ｃ）複数の入れ子式ピペットチップユニットであって、各ユニットが該遠位障壁プレートのチャネルに位置合わせされているピペットチップユニットと
を含み、該遠位障壁プレートが、
各チャネルがピペットチップの最も広い部分よりも大きな直径を有している複数のチャネルと、
実質的に平らな上面と、
該チャネルのいくつかまたはすべての周りに複数のテール部を含む実質的に平らな底面と
を含み、（ｉ）該テール部が、該平らな底面からほぼ垂直な向きに延び、（ｉｉ）各チャネルの周りの該テール部は、ピペットチップが分配され該テール部を通過するときに、ピペットチップの近位部分に接触しかつ該近位部分から外向きに反っており、それによって、該ピペットチップが分配されるときに該ピペットチップに摩擦力が与えられる、ピペットチップ分配デバイス。
（項目２）
各チャネルが、２、３、４、５、６、７、８、９、１０個、またはそれ以上のテール部を含む、項目１に記載のピペットチップ分配デバイス。
（項目３）
上記遠位障壁プレートのチャネルのサブセットが、アレイ状のピペットチップをある時に排出するテール部によって取り囲まれており、該プレートのチャネルの別のサブセットが、同じアレイのピペットチップを別の時に排出するテール部によって取り囲まれている、項目１または２に記載のピペットチップ分配デバイス。
（項目４）
上記遠位障壁プレートが、チャネルの異なるサブセットを２、３、４、５、６、７、８、９、１０、１１、１２、１３、１４、１５、１６、１７、１８、１９、または２０個含み、
各サブセットが、１つのアレイのピペットチップを異なる時間で排出する、
項目３に記載のピペットチップ分配デバイス。
（項目５）
上記障壁プレートの各チャネルが、異なる長さのテール部を含む、項目１から４のいずれか一項に記載のピペットチップ分配デバイス。
（項目６）
上記障壁プレートの中心に位置付けられたチャネルが、最も短いテール部を含む、項目５に記載のピペットチップ分配デバイス。
（項目７）
中心の長手方向の軸の周りに同心円状に配置された後続のチャネルが、その長さが段階的に順次短くなるテール部を含む、項目５に記載のピペットチップ分配デバイス。
（項目８）
中心の長手方向の軸の周りに同心円状に配置された後続のチャネルが、その長さが漸進的に順次長くなるテール部を含む、項目５に記載のピペットチップ分配デバイス。
（項目９）
Ｘ軸に沿って上記障壁プレートの中心に位置付けられたチャネルが同じ長さのテール部を含み、Ｙ軸に沿ったチャネルが様々な長さのテール部を含む、項目１から８のいずれか一項に記載のピペットチップ分配デバイス。
（項目１０）
Ｙ軸に沿って上記障壁プレートの中心に位置付けられたチャネルが同じ長さのテール部を含み、Ｘ軸に沿ったチャネルが様々な長さのテール部を含む、項目１から８のいずれか一項に記載のピペットチップ分配デバイス。
（項目１１）
ＸおよびＹ軸に沿って上記障壁プレートの中心に位置付けられたチャネルが、様々な長さのテール部を含む、項目１から８のいずれか一項に記載のピペットチップ分配デバイス。
（項目１２）
各チャネルが偶数のテール部を含む、項目１から８のいずれか一項に記載のピペットチップ分配デバイス。
（項目１３）
チャネルの周りで互いに直接対向するテール部が、同じ長さを有する、項目１２に記載のピペットチップ分配デバイス。
（項目１４）
チャネルの周りで互いに直接対向するテール部が、異なる長さを有する、項目１２に記載のピペットチップ分配デバイス。
（項目１５）
互いに隣接するテール部が、異なる長さを有する、項目１２または１３に記載のピペットチップ分配デバイス。
（項目１６）
上記テール部が、上記遠位障壁プレートの上記底面から、約８９°から約８０°の内角にある、項目１から１５のいずれか一項に記載のピペットチップ分配デバイス。
（項目１７）
上記テール部が、上記遠位障壁プレートの上記底面から、８８〜８５°、８７〜８４°、８６〜８３°、または８６〜８５°の間の内角にある、項目１６に記載のピペットチップ分配デバイス。
（項目１８）
上記テール部が、上記遠位障壁プレートの上記底面から、約８７°の内角にある、項目１６に記載のピペットチップ分配デバイス。
（項目１９）
上記テール部が、０．０１μｍ〜２．０ｍｍの間の長さである、項目１から１８のいずれか一項に記載のピペットチップ分配デバイス。
（項目２０）
上記テール部が、０．０５μｍ〜２．０ｍｍの間の長さである、項目１に記載のピペットチップ分配デバイス。
（項目２１）
チャネルの周りのテール部が、チャネル内にない、項目１に記載のピペットチップ分配デバイス。
（項目２２）
上記ハウジングが、さらに、
ａ）上部、４つの側面、内面、および該ハウジングの少なくとも１つの側面に配置された、複数の規則的に間隔を空けて配置された戻り止め部材を含む、アクチュエータハウジングと、
ｂ）スライド構成で該アクチュエータハウジングの内面に接触する外面と、
該アクチュエータハウジングの該戻り止め部材に解放可能に係合するよう構成され、かつ該アクチュエータハウジングの戻り止め部材の規則的な間隔と実質的に同じである規則的な間隔を有する、複数の規則的に間隔を空けて配置された戻り止め部材と、
装填ブロックの外側面に係合するよう構成された内面を有する近位開口と
を含むアライメントハウジングと
を含む、項目１に記載のピペットチップ分配デバイス。
（項目２３）
上記ハウジングがポリマー材料を含む、項目１に記載のピペットチップ分配デバイス。
（項目２４）
上記ハウジングのポリマー材料が、成型されたポリプロピレンを含む、項目２３に記載のピペットチップ分配デバイス。
（項目２５）
上記ハウジングのポリマー材料が、約０．００５インチから約０．０５インチの厚さを含む、項目２４に記載のピペットチップ分配デバイス。
（項目２６）
上記アクチュエータハウジングが、複数のハウジング要素を有する伸縮構成を含む、項目２２に記載のピペットチップ分配デバイス。
（項目２７）
上記アライメントハウジングがフランジを含む、項目２２に記載のピペットチップ分配デバイス。
（項目２８）
上記アクチュエータハウジングが、上記ピペットチップの近位部分との接触を維持しかつ該ピペットチップの側方変位を制限する部材をアクチュエータの上部に含む、項目２２に記載のピペットチップ分配デバイス。
（項目２９）
上記部材が、発泡体、隆起した格子、および複数の近位アライメント部材からなる群から選択される、項目２８に記載のピペットチップ分配デバイス。
（項目３０）
９６、３８４、またはそれ以上のピペットチップユニットを含む、項目１に記載のピペットチップ分配デバイス。
（項目３１）
上記ピペットチップユニットが、ピペットチップユニットのアレイ状に配置されている、項目１に記載のピペットチップ分配デバイス。
（項目３２）
各ピペットチップユニットが、２、３、４、５、６、７、８、９、１０、１１、１２、１３、１４、またはそれ以上の入れ子式ピペットチップを含む、項目１に記載のピペットチップ分配デバイス。
（項目３３）
ピペットチップ分配器の一部にすることができ、かつピペットチップに関連付けられていない、遠位障壁プレートであって、
各チャネルがピペットチップの最も広い部分よりも大きな直径を有している複数のチャネルと、
実質的に平らな上面と、
該チャネルのいくつかまたはすべての周りの複数のテール部を含む、実質的に平らな底面と
を含み、（ｉ）該テール部が、該平らな底面からほぼ垂直な向きに延び、（ｉｉ）各チャネルの周りの該テール部は、ピペットチップが分配され該テール部を通過するときに、ピペットチップの近位部分に接触しかつ該近位部分から外向きに反っており、それによって、該ピペットチップが分配されるときに該ピペットチップに摩擦力が与えられる、遠位障壁プレート。
（項目３４）
各チャネルが、２、３、４、５、６、７、８、９、１０、またはそれ以上のテール部を含む、項目３３に記載の遠位障壁プレート。
（項目３５）
上記遠位障壁プレートのチャネルのサブセットが、アレイ状のピペットチップをある時に排出するテール部によって取り囲まれており、該プレートのチャネルの別のサブセットが、同じアレイのピペットチップを別の時に排出するテール部によって取り囲まれている、項目３３または３４に記載の遠位障壁プレート。
（項目３６）
上記遠位障壁プレートが、チャネルの異なるサブセットを２、３、４、５、６、７、８、９、１０、１１、１２、１３、１４、１５、１６、１７、１８、１９、または２０個含み、
各サブセットが、１つのアレイのピペットチップを異なる時間で排出する、項目３５に記載の遠位障壁プレート。
（項目３７）
上記障壁プレートの各チャネルが、異なる長さのテール部を含む、項目３３から３６のいずれか一項に記載の遠位障壁プレート。
（項目３８）
上記障壁プレートの中心に位置付けられたチャネルが、最も短いテール部を含む、項目３７に記載の遠位障壁プレート。
（項目３９）
中心の長手方向の軸の周りに同心円状に配置された後続のチャネルが、その長さが漸進的に順次短くなるテール部を含む、項目３７に記載の遠位障壁プレート。
（項目４０）
中心の長手方向の軸の周りに同心円状に配置された後続のチャネルが、その長さが漸進的に順次長くなるテール部を含む、項目３７に記載の遠位障壁プレート。
（項目４１）
Ｘ軸に沿って上記障壁プレートの中心に位置付けられたチャネルが、同じ長さのテール部を含み、Ｙ軸に沿ったチャネルが、様々な長さのテール部を含む、項目３３から４０のいずれか一項に記載の遠位障壁プレート。
（項目４２）
Ｙ軸に沿って上記障壁プレートの中心に位置付けられたチャネルが、同じ長さのテール部を含み、Ｘ軸に沿ったチャネルが、様々な長さのテール部を含む、項目３３から４０のいずれか一項に記載の遠位障壁プレート。
（項目４３）
ＸおよびＹ軸に沿って上記障壁プレートの中心に位置付けられたチャネルが、様々な長さのテール部を含む、項目３３から４０のいずれか一項に記載の遠位障壁プレート。
（項目４４）
各チャネルが、偶数のテール部を含む、項目３３から４０のいずれか一項に記載の遠位障壁プレート。
（項目４５）
チャネルの周りで互いに直接対向するテール部が、同じ長さを有する、項目４４に記載の遠位障壁プレート。
（項目４６）
チャネルの周りで互いに直接対向するテール部が、異なる長さを有する、項目４４に記載の遠位障壁プレート。
（項目４７）
互いに隣接するテール部が、異なる長さを有する、項目４４または４５に記載の遠位障壁プレート。
（項目４８）
上記テール部が、上記遠位障壁プレートの上記底面から、約８９°から約８０°の内角にある、項目３３から４７のいずれか一項に記載の遠位障壁プレート。
（項目４９）
上記テール部が、上記遠位障壁プレートの上記底面から、８８〜８５°、８７〜８４°、８６〜８３°、または８６〜８５°の間の内角にある、項目４８に記載の遠位障壁プレート。
（項目５０）
上記テール部が、上記遠位障壁プレートの上記底面から約８７°の内角にある、項目４８に記載の遠位障壁プレート。
（項目５１）
上記テール部が、０．０１μｍ〜２．０ｍｍの間の長さである、項目３３から５０のいずれか一項に記載の遠位障壁プレート。
（項目５２）
上記テール部が、０．０５μｍ〜２．０ｍｍの間の長さである、項目３３から５０のいずれか一項に記載の遠位障壁プレート。
（項目５３）
チャネルの周りの上記テール部が、上記チャネル内にない、項目３３に記載の遠位障壁プレート。
（項目５４）
（ａ）規則的に間隔を空けて配置されたピペットチップのアレイを含む分配デバイスを提供することと、
（ｂ）ピペットチップの遠位端が、装填ブロックのレセプタクルの上方または内部に配置されるように、該分配デバイスを該装填ブロックに係合することであって、障壁プレートは、
（ｉ）各チャネルがピペットチップの最も広い部分よりも大きな直径を有している複数のチャネルと、
（ｉｉ）実質的に平らな上面と、
（ｉｉｉ）該チャネルのいくつかまたはすべての周りに複数のテール部を含む、実質的に平らな底面であって、該テール部が、該平らな底面からほぼ垂直な向きに延びている底面と
を含む、ことと、
（ｃ）該ピペットチップのアレイに軸力が加わるように、該分配デバイスのアクチュエータを作動させることであって、該軸力は該ピペットチップのアレイを、該チャネルを通って該テール部を通過して分配し、それにより、該ピペットチップは該テール部に接触しかつ該テール部を外向きに反らせ、該テール部は該ピペットチップに摩擦力を与え、それによって、該ピペットチップのアレイを該装填ブロックのそれぞれのレセプタクルに排出する、ことと
を含む、ピペットチップのアレイを装填ブロックに同時に分配するための方法。
（項目５５）
上記障壁プレートが、２、３、４、５、６、７、８、９、１０、またはそれ以上のテール部を含む、項目５４に記載の方法。
（項目５６）
上記遠位障壁プレートのチャネルのサブセットが、アレイのピペットチップをある時に排出するテール部によって取り囲まれ、該プレートのチャネルの別のサブセットが、同じアレイのピペットチップを別の時に排出するテール部によって取り囲まれている、項目５４または５５に記載の方法。
（項目５７）
上記遠位障壁プレートが、チャネルの異なるサブセットを２、３、４、５、６、７、８、９、１０、１１、１２、１３、１４、１５、１６、１７、１８、１９、または２０個含み、
各サブセットが、１つのアレイのピペットチップを異なる時間で排出する、
項目５６に記載の方法。
（項目５８）
上記障壁プレートの各チャネルが、異なる長さのテール部を含む、項目５４または５５に記載の方法。
（項目５９）
上記障壁プレートの中心に位置付けられたチャネルが、最も短いテール部を含む、項目５７に記載の方法。
（項目６０）
中心の長手方向の軸の周りに同心円状に配置された後続のチャネルが、その長さが漸進的に順次短くなるテール部を含む、項目５８に記載の方法。
（項目６１）
中心の長手方向の軸の周りに同心円状に配置された後続のチャネルが、その長さが漸進的に順次長くなるテール部を含む、項目５９に記載の方法。
（項目６２）
Ｘ軸に沿って上記障壁プレートの中心に位置付けられたチャネルが、同じ長さのテール部を含み、Ｙ軸に沿ったチャネルが、様々な長さのテール部を含む、項目５４から６１のいずれか一項に記載の方法。
（項目６３）
Ｙ軸に沿って上記障壁プレートの中心に位置付けられたチャネルが、同じ長さのテール部を含み、Ｘ軸に沿ったチャネルが、様々な長さのテール部を含む、項目５４から６１のいずれか一項に記載の方法。
（項目６４）
ＸおよびＹ軸に沿って上記障壁プレートの中心に位置付けられたチャネルが、様々な長さのテール部を含む、項目５４から６１のいずれか一項に記載の方法。
（項目６５）
各チャネルが偶数のテール部を含む、項目５４から６１のいずれか一項に記載の方法。
（項目６６）
チャネルの周りで互いに直接対向するテール部が、同じ長さを有する、項目６５に記載の方法。
（項目６７）
チャネルの周りで互いに直接対向するテール部が、異なる長さを有する、項目６５に記載の方法。
（項目６８）
互いに隣接するテール部が、異なる長さを有する、項目６５または６６に記載の方法。
（項目６９）
上記テール部が、上記遠位障壁プレートの上記底面から、約８９°から約８０°の内角にある、項目５４から６８に記載の方法。
（項目７０）
上記テール部が、上記遠位障壁プレートの上記底面から、８８〜８５°、８７〜８４°、８６〜８３°、または８６〜８５°の間の内角にある、項目６９に記載の方法。
（項目７１）
上記テール部が、上記遠位障壁プレートの上記底面から約８７°の内角にある、項目６９に記載の方法。
（項目７２）
上記テール部が、０．０１μｍ〜２．０ｍｍの間の長さである、項目５４から７１に記載の方法。
（項目７３）
上記テール部が、０．０５μｍ〜２．０ｍｍの間の長さである、項目５４から７１に記載の方法。
（項目７４）
チャネルの周りの上記テール部が、上記チャネル内にない、項目５４に記載の方法。
（項目７５）
上記アクチュエータが、作動中に上記障壁部材のテール部からの複数のピペットチップのアレイの排出を可視化するために、共に透明なポリマー材料を有するアクチュエータハウジングおよびアライメントハウジングを含む、項目５４に記載の方法。
（項目７６）
上記アクチュエータハウジングが、複数のハウジング要素を有する伸縮構成を含み、上記アクチュエータの作動が、該複数のハウジング要素を拡張された状態から収縮させられた入れ子式状態へと収縮することを含む、項目７５に記載の方法。